(57)【要約】【課題】記録媒体のカールを矯正する構成が簡単で安価で記録画像の損傷や記録媒体の搬送不良の発生を防止する記録媒体搬送装置を提供する。【解決手段】進入する被記録媒体Ｐを搬送経路内へと送り出す案内手段１と、案内手段１上の記録媒体のカールを修正する円筒状のデカールローラ２と、デカールローラ２の外周面と対向する案内手段１上に形成されたデカールローラ２の外周面より大きい曲率を有する湾曲面３と、湾曲面３とデカールローラ２の外周面で形成された記録媒体Ｐの間隙部４と、間隙部４内の被記録媒体Ｐを搬送方向に送り出すデカールローラ２を回転駆動する回転駆動手段５とを備える。【選択図】図１
2008222427.tif 000002
【特許請求の範囲】
【請求項１】
記録媒体を搬送する記録媒体搬送装置において、
進入する記録媒体を搬送経路内へと送り出す案内手段と、前記案内手段上の前記記録媒体のカールを修正する円筒状のデカールローラと、前記デカールローラの外周面と対向する前記案内手段上に形成され、前記デカールローラの外周面より大きい曲率を有する湾曲面と、前記湾曲面と前記デカールローラの外周面とにより形成された間隙部と、前記間隙部内の記録媒体を搬送方向に送り出す前記デカールローラを回転駆動する回転駆動手段と、を備えることを特徴とする記録媒体搬送装置。
【請求項２】
請求項１に記載の記録媒体搬送装置において、前記案内手段は、記録媒体を搬送方向に案内する搬送ガイド板と、前記搬送ガイド板と対向して記録媒体を搬送方向に案内する対向ガイド板と、を備えることを特徴とする記録媒体搬送装置。
【請求項３】
請求項１又は２に記載の記録媒体搬送装置において、前記案内手段は、搬送経路内の記録媒体との当接部を覆うテフロン層を備えることを特徴とする記録媒体搬送装置。
【請求項４】
請求項１、２又は３に記載の記録媒体搬送装置において、前記案内手段は、冷却用のフィンを備えることを特徴とする記録媒体搬送装置。
【請求項５】
請求項１乃至４の何れか一項に記載の記録媒体搬送装置において、前記案内手段を冷却するファンを備えることを特徴とする記録媒体搬送装置。
【請求項６】
請求項１乃至５の何れか一項に記載の記録媒体搬送装置において、前記案内手段は、進入する記録媒体を加熱する加熱手段を備えることを特徴とする記録媒体搬送装置。
【請求項７】
請求項６に記載の記録媒体搬送装置において、前記加熱手段は、記録媒体上に形成したトナー画像を熱定着する熱定着ユニットを備えることを特徴とする記録媒体搬送装置。
【請求項８】
請求項１乃至７の何れか一項に記載の記録媒体搬送装置において、前記案内手段は、進入する記録媒体を排紙する排紙ローラを備えることを特徴とする記録媒体搬送装置。
【請求項９】
請求項１乃至８の何れか一項に記載の記録媒体搬送装置において、前記案内手段は、前記湾曲面を前記デカールローラの外周面から離間して記録媒体のカールを修正するデカール機能の調整又はデカール機能を解除するデカール機能調整手段を備えることを特徴とする記録媒体搬送装置。
【請求項１０】
請求項９に記載の記録媒体搬送装置において、前記デカール機能調整手段は、支点を中心にして回動可能に保持される回動ガイド板を備えることを特徴とする記録媒体搬送装置。
【請求項１１】
請求項１０に記載の記録媒体搬送装置において、前記回動ガイド板は、支点を中心にして回動位置に回動駆動する回動駆動手段を備えることを特徴とする記録媒体搬送装置。
【請求項１２】
請求項１１に記載の記録媒体搬送装置において、前記回動駆動手段は、前記回動ガイド板を回動位置に回動して保持するカム部材と、前記カム部材を回動駆動するソレノイドとを備えることを特徴とする記録媒体搬送装置。
【請求項１３】
請求項１乃至１２の何れか一項に記載の記録媒体搬送装置において、前記デカールローラは、外周面を覆うテフロン層を備えることを特徴とする記録媒体搬送装置。
【請求項１４】
請求項１乃至１３の何れか一項に記載の記録媒体搬送装置において、前記デカールローラは、外周面の中間に記録媒体に当接して搬送する摩擦部を備えることを特徴とする記録媒体搬送装置。
【請求項１５】
請求項１４に記載の記録媒体搬送装置において、前記摩擦部は、護謨面を備えることを特徴とする記録媒体搬送装置。
【請求項１６】
請求項１４に記載の記録媒体搬送装置において、前記摩擦部材は、凹凸面を備えることを特徴とする記録媒体搬送装置。
【請求項１７】
請求項１乃至１６の何れか一項に記載の記録媒体搬送装置において、前記デカールローラは、冷却用の中空部を備えることを特徴とする記録媒体搬送装置。
【請求項１８】
請求項１乃至１７の何れか一項に記載の記録媒体搬送装置において、前記間隙部は、前記案内手段が搬送経路内の搬送方向に案内して送り出す記録媒体の厚さよりも広く、記録媒体の厚さに加算する０．１ｍｍよりも狭い空間を備えることを特徴とする記録媒体搬送装置。
【請求項１９】
請求項１乃至１８の何れか一項に記載の記録媒体搬送装置において、前記回転駆動手段は、前記デカールローラと連動して記録媒体を搬送方向に送り出す前記排紙ローラを回転駆動する連動部材を備えることを特徴とする記録媒体搬送装置。
【請求項２０】
記録媒体に画像を形成する画像形成装置において、前記記録媒体を搬送方向に搬送する請求項１乃至１９の何れか一項に記載の記録媒体搬送装置を備えることを特徴とする画像形成装置。
【発明の詳細な説明】
【技術分野】
【０００１】
本発明は、記録媒体搬送装置、及びその記録媒体搬送装置を備える画像形成装置に関し、詳しくは、記録媒体を搬送方向に案内して搬送する記録媒体搬送装置に関する。更にその記録媒体搬送装置を備えて記録媒体に記録画像を形成すインクジェット方式などの印刷機や電子写真方法で画像を形成する複写機、ファクシミリ装置、プリンタあるいはこれ等の複合機等の画像形成装置に関する。
【背景技術】
【０００２】
従来の記録媒体搬送装置、及びその記録媒体搬送装置を備える画像形成装置において、画像形成装置の熱定着ユニットから搬送方向に案内して搬送される記録媒体の記録用紙は、定着部において加熱されるため記録用紙全体にカールが発生する。
熱定着ユニットを通過する記録用紙は程度の差はあれ、このようなカールが発生し、記録用紙の種類やサイズによってはカール量の差も発生してしまう。そのために画像形成装置から排紙トレイ又は後処理系のユニット等に記録用紙が搬送されると、途中の搬送ガイドやサイドフェンス等にひっかかりジャムの原因となり、搬送不良となってしまう。また、ジャムにまでは至らないとしても最終的に排出された際に記録用紙の耳折れ等となって記録用紙がスタックされる搬送不良を起こす。
そこで、記録シート冷却装置を用いて、熱定着装置で画像を定着した記録シートを冷却すること、即ち記録シート冷却装置内における記録シートの搬送経路にヒートパイプを設置して、カールやブロッキング現象の発生を防止することが提案されている（特許文献１を参照）。
更に、定着部から送り出される記録紙を、排紙ローラと板バネとの当接部に搬送して、記録紙を板バネにより排紙ローラに押し付け、排紙ローラの回転により排紙部に搬送することも知られている。つまり板バネの排紙ローラ側に形成されている湾曲部により、記録紙をカール方向と逆方向に湾曲させつつ、排紙ローラに押し付けて搬送して、記録紙についたカールぐせを矯正する画像形成装置も提案されている（特許文献２を参照）。
更に、定着領域を通過した後の記録シート搬送路中のカール矯正領域に回転中空パイプおよび弾性回転部材を配置して、その回転中空パイプおよび弾性回転部材の圧接領域を通過させることで記録シートのカールを矯正する画像形成装置も提案されている（特許文献３を参照）。
【０００３】
更に、トナー像を加熱と加圧により定着されたシートを排出するシート排出装置において、シートに担持されているトナー像に対向当接する側のローラを有している。トナー像側に位置するローラの周方向に並置された状態でローラの周面に当接可能であり、トナー像側に対向するローラの周面に倣ってシートを挟持搬送可能な複数のバックアップローラも有している。そして、シートに発生しているカールの発生方向と逆方向にシートを湾曲させてカールを矯正するデカール機構を備え、デカール機構を構成するローラの１つが冷却部材で構成されて、シートのカールを矯正することも提案されている（特許文献４を参照）。
更に、剛性ローラおよび剛性ローラに対向する弾性ローラによって形成されるニップ部とニップ部の下流側にて用紙をガイドする搬送ガイド部材で用紙のカールを修正するカール修正方法がある。そこで、カールが生じやすい薄紙が搬送される場合には、ニップ部から搬送ガイド部材の傾斜ガイド部への排出角度をきつくして用紙をカールとは逆方向にひねることによりカールを修正する。カールが生じにくい厚紙が搬送される場合には、ニップ部から傾斜ガイド部への排出角度を緩くして、用紙の搬送抵抗を低くすることも提案されている（特許文献５を参照）。
然し、これらは何れも、記録媒体の記録用紙のカールを矯正して搬送する構成が複雑で高価である。そして、記録用紙は当接する板バネ等のガイド部材と排紙ローラ、剛性ローラと弾性ローラ等によって搬送されるので、記録用紙に形成される記録画像の損傷や記録用紙の搬送不良が発生する不具合が生じていた。
【特許文献１】特開平４−２６００６５号公報
【特許文献２】特開平９−４０２５７号公報
【特許文献３】特開２０００−２２６１４９公報
【特許文献４】特開２００３−７３００６公報
【特許文献５】特開２００６−１６８９４０公報
【発明の開示】
【発明が解決しようとする課題】
【０００４】
従来の記録媒体搬送装置、及びその記録媒体搬送装置を備える画像形成装置においては、記録媒体の記録用紙のカールを矯正して搬送する構成が複雑で高価である。そして、記録用紙は当接する板バネ等のガイド部材と排紙ローラ、又は剛性ローラと弾性ローラ等によって搬送されるので、記録用紙に形成される記録画像の損傷や記録用紙の搬送不良が発生すると言う問題が発生していた。
そこで、本発明は、このような問題点を解決するものである。即ち、記録媒体のカールを矯正する構成が簡単で安価で記録画像の損傷や記録媒体の搬送不良の発生を防止する記録媒体搬送装置を提供することを目的とする。またその記録媒体搬送装置を備える画像形成装置を提供することも目的とする。
【課題を解決するための手段】
【０００５】
上記目的を達成するために、請求項１に記載の本発明は、記録媒体を搬送する記録媒体搬送装置において、進入する記録媒体を搬送経路内へと送り出す案内手段と、前記案内手段上の記録媒体のカールを修正する円筒状のデカールローラと、前記デカールローラの外周面と対向する前記案内手段上に形成された前記デカールローラの外周面より大きい曲率を有する湾曲面と、前記湾曲面と前記デカールローラの外周面とにより形成された間隙部と、前記間隙部内の記録媒体を搬送方向に送り出す前記デカールローラを回転駆動する回転駆動手段と、を備える記録媒体搬送装置を特徴とする。
請求項２に記載の本発明は、請求項１に記載の記録媒体搬送装置において、前記案内手段は、記録媒体を搬送方向に案内する搬送ガイド板と、前記搬送ガイド板と対向して記録媒体を搬送方向に案内する対向ガイド板とを備える記録媒体搬送装置を特徴とする。
請求項３に記載の本発明は、請求項１又は２に記載の記録媒体搬送装置において、前記案内手段は、搬送経路内の記録媒体との当接部を覆うテフロン層を備える記録媒体搬送装置を特徴とする。
請求項４に記載の本発明は、請求項１、２又は３に記載の記録媒体搬送装置において、前記案内手段は、冷却用のフィンを備える記録媒体搬送装置を特徴とする。
請求項５に記載の本発明は、請求項１乃至４の何れか一項に記載の記録媒体搬送装置において、前記案内手段を冷却するファンを備える記録媒体搬送装置を特徴とする。
請求項６に記載の本発明は、請求項１乃至５の何れか一項に記載の記録媒体搬送装置において、前記案内手段は、進入する記録媒体を加熱する加熱手段を備える記録媒体搬送装置を特徴とする。
請求項７に記載の本発明は、請求項６に記載の記録媒体搬送装置において、前記加熱手段は、記録媒体上に形成したトナー画像を熱定着する熱定着ユニットを備える記録媒体搬送装置を特徴とする。
【０００６】
請求項８に記載の本発明は、請求項１乃至７の何れか一項に記載の記録媒体搬送装置において、前記案内手段は、進入する記録媒体を排紙する排紙ローラを備える記録媒体搬送装置を特徴とする。
請求項９に記載の本発明は、請求項１乃至８の何れか一項に記載の記録媒体搬送装置において、前記案内手段は、前記湾曲面を前記デカールローラの外周面から離間して記録媒体のカールを修正するデカール機能の調整又はデカール機能を解除するデカール機能調整手段を備える記録媒体搬送装置を特徴とする。
請求項１０に記載の本発明は、請求項９に記載の記録媒体搬送装置において、前記デカール機能調整手段は、支点を中心にして回動可能に保持される回動ガイド板を備える記録媒体搬送装置を特徴とする。
請求項１１に記載の本発明は、請求項１０に記載の記録媒体搬送装置において、前記回動ガイド板は、支点を中心にして回動位置に回動駆動する回動駆動手段を備える記録媒体搬送装置を特徴とする。
請求項１２に記載の本発明は、請求項１１に記載の記録媒体搬送装置において、前記回動駆動手段は、前記回動ガイド板を回動位置に回動して保持するカム部材と、前記カム部材を回動駆動するソレノイドを備える記録媒体搬送装置を特徴とする。
請求項１３に記載の本発明は、請求項１乃至１２の何れか一項に記載の記録媒体搬送装置において、前記デカールローラは、外周面を覆うテフロン層を備える記録媒体搬送装置を特徴とする。
請求項１４に記載の本発明は、請求項１乃至１３の何れか一項に記載の記録媒体搬送装置において、前記デカールローラは、外周面の中間に記録媒体に当接して搬送する摩擦部を備える記録媒体搬送装置を特徴とする。
請求項１５に記載の本発明は、請求項１４に記載の記録媒体搬送装置において、前記摩擦部は、護謨面を備える記録媒体搬送装置を特徴とする。
【０００７】
請求項１６に記載の本発明は、請求項１４に記載の記録媒体搬送装置において、前記摩擦部材は、凹凸面を備える記録媒体搬送装置を特徴とする。
請求項１７に記載の本発明は、請求項１乃至１６の何れか一項に記載の記録媒体搬送装置において、前記デカールローラは、冷却用の中空部を備える記録媒体搬送装置を特徴とする。
請求項１８に記載の本発明は、請求項１乃至１７の何れか一項に記載の記録媒体搬送装置において、前記間隙部は、前記案内手段が搬送経路内の搬送方向に案内して送り出す記録媒体の厚さよりも広く、記録媒体の厚さに加算する０．１ｍｍよりも狭い空間を備える記録媒体搬送装置を特徴とする。
請求項１９に記載の本発明は、請求項１乃至１８の何れか一項に記載の記録媒体搬送装置において、前記回転駆動手段は、前記デカールローラと連動して記録媒体を搬送方向に送り出す前記排紙ローラを回転駆動する連動部材を備える記録媒体搬送装置を特徴とする。
請求項２０に記載の本発明は、記録媒体に記録画像を形成する画像形成装置において、搬送される記録媒体に記録画像を形成する画像形成ユニットと、前記画像形成ユニットで記録画像を形成した記録媒体を搬送方向に案内して搬送する請求項１乃至１９の何れか一項に記載の前記記録媒体搬送装置を備える画像形成装置を特徴とする。
【発明の効果】
【０００８】
本発明によれば、記録媒体のカールを矯正する構成が簡単で安価で記録画像の損傷や記録媒体の搬送不良の発生を防止する記録媒体搬送装置を提供することが出来る。及びその記録媒体搬送装置を備える画像形成装置も提供することが出来る。
【発明を実施するための最良の形態】
【０００９】
以下に、本発明の実施形態を、図面を参照して詳細に説明する。
図１は、本発明の実施の形態にかかる記録媒体搬送装置１０の基本構成図である。図２は、本発明の実施の形態にかかる記録媒体搬送装置１０の間隙部４の基本構成の拡大図である。
図１と図２において、記録媒体を搬送方向に案内して搬送する記録媒体搬送装置１０は、進入する記録媒体Ｐの記録用紙を搬送経路内の図示の矢印（Ａ）方向の搬送方向に案内して搬送して送り出す案内手段１を備えている。案内手段１は、記録媒体Ｐを図示の矢印（Ａ）方向の搬送方向に確実に案内して搬送して送り出す搬送ガイド板１１と、その搬送ガイド板１１と対向して記録媒体Ｐを図示の矢印（Ａ）方向の搬送方向に確実に案内して搬送して送り出す対向ガイド板１２よりなる。
案内手段１の搬送ガイド板１１と対向ガイド板１２は、剛性の板金であって熱容量の大きい鉄材等の金属板であり、冷却効果をより向上させるようになっている。
更に、搬送ガイド板１１上の記録媒体Ｐのカールを修正する円筒状のデカールローラ２と、デカールローラ２の外周面と対向するガイド板１１上に形成するデカールローラ２の外周面より大きい曲率を有する湾曲面３を備えている。
デカールローラ２は、剛性のローラであって熱容量の大きい鉄材等の金属ローラであり、冷却効果をより向上させるようになっている。
更に、湾曲面３とデカールローラ２の外周面とにより記録媒体Ｐの搬送経路を形成する間隙部４を備えている。
更に、間隙部４内の記録媒体Ｐを図示の矢印（Ａ）方向の搬送方向に送り出すデカールローラ２を回転駆動する回転駆動手段５を備えている。
【００１０】
案内手段１は、進入する記録媒体Ｐを加熱する加熱手段６の熱定着ユニット１１５を備えている。熱定着ユニット１１５は、図示の矢印（Ｂ）方向に回転する定着ローラ６０と図示の矢印（Ｃ）方向に回転する加圧ローラ６１を備えている。記録媒体Ｐが図示されていない転写部で転写された未定着のトナー像を形成して、定着ローラ６０と加圧ローラ６１とのニップ部（Ｎ）に進入する。加圧手段６２で加圧ローラ６１を定着ローラ６０に押圧することによって、加熱加圧されて未定着のトナー像は、記録媒体Ｐに定着される。定着ローラ６０は、ヒータ６３を内蔵して、図示しないサーミスタ等によって温度コントロールされ、加圧ローラ６１は表面に護謨層が設けられている。
このように定着された記録媒体Ｐは、熱せられているためカールが発生している。カールが発生している記録媒体Ｐは、案内手段１の搬送ガイド板１１と対向ガイド板１２によって図示の矢印（Ａ）方向の搬送方向に確実に案内されて間隙部４を通過することにより、逆カール付けが行われて矯正される。
間隙部４は、案内手段１が図示の矢印（Ａ）方向の搬送経路内の搬送方向に案内して送り出す記録媒体Ｐの厚さ（ｔ）よりも広く、記録媒体Ｐの厚さ（ｔ）に加算する０．１ｍｍよりも狭い空間（Ｄ）を備えている。即ち、間隙部４の空間（Ｄ）は、（ｔ）＜（Ｄ）＜（ｔ＋０．１ｍｍ）となる。
更に、案内手段１は、進入する記録媒体Ｐを排紙する一対の排紙ローラ７を備えている。回転駆動手段５の駆動モータは、連動部材５０のタイミングベルトで図示の矢印（Ｅ）方向に回転するデカールローラ２と連動して一対の排紙ローラ７を図示の矢印（Ｆ）方向の排紙方向に回転駆動する。そして、回転駆動される一対の排紙ローラ７によって記録媒体Ｐを図示の矢印（Ａ）方向の搬送方向に案内して送り出す。
従って、構成が簡単で安価で記録画像の損傷や記録媒体Ｐの搬送不良の発生を防止する記録媒体搬送装置１０を提供することが出来る。
【００１１】
図３は、本発明の実施の形態にかかる記録媒体搬送装置１０における案内手段１のテフロン（登録商標）層１３の基本構成の斜視図である。
図３において、案内手段１の搬送ガイド板１１と対向ガイド板１２は、搬送経路内の記録媒体Ｐの当接部を覆うテフロン（登録商標）層１３を備えている。
従って、記録媒体Ｐを図示の矢印（Ａ）方向の搬送方向に搬送する際の搬送ガイド板１１と対向ガイド板１２は、記録媒体Ｐの当接部を覆うテフロン（登録商標）層１３により表面の潤滑性が良好となる。そして、記録媒体Ｐが再生紙などの表面性の比較的悪い記録用紙に対しても搬送性も確保できて、搬送不良の発生を防止する記録媒体搬送装置１０を提供することが出来る。
図４は、本発明の実施の形態にかかる記録媒体搬送装置１０におけるフィン１４とファン１５の基本構成の斜視図である。
図４において、記録媒体搬送装置１０の構成では、デカールローラ２の外周面に対向して案内手段１の搬送ガイド板１１に形成された湾曲面３が配置されている。そして、案内手段１の搬送ガイド板１１は、形成する湾曲面３の下側の下面に冷却用のフィン１４を備える。またそのフィン１４を冷却するファン１５を備え、案内手段１の全体を冷却する構成になっている。
即ち、記録媒体Ｐが通過するごとに搬送される記録媒体Ｐからの熱が案内手段１にこもることを防止する。
従って、トナー画像の温度が下がり切らないで定着されたトナーの剥がれを防止して記録画像の損傷や記録媒体Ｐの搬送不良の発生を防止する記録媒体搬送装置１０を提供することが出来る。
【００１２】
図５は、本発明の実施の形態にかかる記録媒体搬送装置１０におけるデカールローラ２のテフロン（登録商標）層２０の基本構成の斜視図である。
図５において、デカールローラ２は、外周面をテフロン（登録商標）塗布で覆うテフロン（登録商標）層２０を備えている。記録媒体搬送装置１０の搬送側のデカールローラ２の外周面もテフロン（登録商標）層２０で覆うことにより、記録媒体Ｐに形成された画像面を搬送した場合において熱定着ユニット１１５（図１０参照）側からのトナーのオフセットを防止する。
従って、トナーのオフセットを防止して記録画像の損傷や記録媒体Ｐの搬送不良の発生を防止する記録媒体搬送装置１０を提供することが出来る。
【００１３】
図６は、本発明の実施の形態にかかる記録媒体搬送装置１０のデカール機能調整手段８の基本構成の斜視図である。
図６において、案内手段１の搬送ガイド板１１は、湾曲面３をデカールローラ２の外周面から離間して記録媒体Ｐのカールを修正するデカール機能の調整又はデカール機能を解除するデカール機能調整手段８を備えている。そのデカール機能調整手段８は、支点８０を中心にして図示の矢印（Ｇ）方向に回動可能に保持される回動ガイド板８１を備えている。そして、回動ガイド板８１は、回動駆動手段８２によって、手動又は自動的に支点８０を中心にして回動位置に回動駆動して保持することが出来る。
回動駆動手段８２は、回動ガイド板８１を回動位置に回動して保持するカム部材８３と、そのカム部材８３を図示の矢印（Ｈ）方向のデカール機能の調整又はデカール機能を解除する開放方向に回動駆動するソレノイド８４を備えている。
ソレノイド８４は、搬送される記録媒体Ｐが図示しないセンサー又は設定による制御部８５からのカール量の少ない厚紙などの記録媒体Ｐである情報により、回動ガイド板８１を回動位置に自動的に回動駆動する。
そして、デカール機能調整手段８は、湾曲面３をデカールローラ２から離間してデカールローラ２の加圧力を加減してカールのあまり発生していない記録媒体Ｐに対してデカール効果を付加することなく搬送させることが可能にする。
従って、よりカールの発生しない記録媒体Ｐに対して円滑な搬送を行って、記録画像の損傷や記録媒体Ｐの搬送不良の発生を防止する記録媒体搬送装置１０を提供することが出来る。
【００１４】
図７は、本発明の実施の形態にかかる記録媒体搬送装置１０における摩擦部２１が護謨面２２の基本構成の斜視図である。
図８は、本発明の実施の形態にかかる記録媒体搬送装置１０における摩擦部２１が凹凸面２３の基本構成の斜視図である。
図７と図８において、デカールローラ２は、外周面の中間に記録媒体Ｐに当接して搬送する搬送性に優れた摩擦部２１を備えている。
大きな長いサイズの記録媒体Ｐの記録用紙は、熱定着ユニット１１５（図１０参照）から排紙ローラ７に挟まれれば自動的に搬送される。然し、図示しない小さな短いサイズの記録媒体Ｐの記録用紙の場合には、排紙ローラ７に到達しないと搬送ができないため記録用紙の仕様が限られてしまう。
そこで、摩擦部２１は、図７に図示するようにデカールローラ２の中間の中央付近に薄い護謨材を貼り付けた護謨面２２を備えて、図示のような小さな短いサイズの記録媒体Ｐの記録用紙の搬送も可能にしている。
又は、摩擦部２１は、図８に図示するようにデカールローラ２の中間の中央付近にサンドブラスト加工法等により凹凸面２３を形成して備えて、図示のような小さな短いサイズの記録媒体Ｐの記録用紙の搬送も可能にしている。
従って、小さな短いサイズの記録媒体Ｐが熱定着ユニット１１５から排紙ローラ７に到達しなくても搬送ができないため記録用紙の仕様が限られてしまうことがない。そして、記録画像の損傷や記録媒体Ｐの搬送不良の発生を防止する記録媒体搬送装置１０を提供することが出来る。
【００１５】
図９は、本発明の実施の形態にかかる記録媒体搬送装置１０におけるデカールローラ２の中空部２４の基本構成の斜視図である。
図９において、デカールローラ２は、中空材で中空部２４を備えることによりデカールローラ２自身の熱の拡散も早くなり、熱定着ユニット１１５からのホットオフセットに対しても有利となり、トナーオフセットを防ぐことが出来る。
従って、デカールローラ２による、トナーオフセットを防止して、記録画像の損傷や記録媒体Ｐの搬送不良の発生を防止する記録媒体搬送装置１０を提供することが出来る。
図１０は、本発明の実施の形態にかかる記録媒体搬送装置１０を備える画像形成装置１００の基本構成図である。
図１０において、記録媒体に記録画像を形成する画像形成装置１００は、搬送される記録媒体Ｐに記録画像を形成する画像形成ユニット１０１備えている。更に、画像形成ユニット１０１で記録画像を形成した記録媒体Ｐを図示の矢印（Ａ）方向の搬送方向に案内して搬送する本発明に記載した記録媒体搬送装置１０も備えている。
画像形成装置１００の側部には、記録画像を形成した後の記録媒体Ｐの後処理を行う記録媒体後処理装置２００を取り付けている。
画像形成ユニット１０１の上部には、原稿画像読み取りユニット１０２が載置されている。そして、画像形成ユニット１０１は、記録媒体Ｐを給送する記録媒体給送装置１０３の上部に保持されている。
画像形成ユニット１０１は、電子写真方式の作像プロセスで利便性や汎用性に優れ高速で高品質のトナーの記録画像を記録媒体Ｐの記録用紙等に転写して形成するようになっている。
【００１６】
原稿画像読み取りユニット１０２の原稿台１２０に載置された原稿Oを光源１２１が図示の矢印（Ｊ）方向に移動し、このとき、原稿Oの原稿画像面が光源１２１により照明され、原稿画像が読み取り光学系１２２で読み取られる。読み取り光学系１２２で読み取られる原稿画像は、画像形成ユニット１０１の書き込みユニット１１２によってドラム形状の感光体ドラム１１０上に書き込まれる。
感光体ドラム１１０は、図示の矢印（Ｋ）方向の時計方向に回転し、この時、帯電装置１１１によって表面を一様に帯電され、その帯電面に書き込みユニット１１２により原稿画像が書き込まれる。これによって感光体ドラム１１０上に静電潜像が形成され、この潜像は現像ユニット１１３によってトナー像として可視像化される。
一方、記録媒体給送装置１０３から記録媒体Ｐが感光体ドラム１１０に向けて搬送され、転写装置１１４によって感光体ドラム１１０上のトナーの記録画像が記録媒体Ｐに転写される。
この記録媒体Ｐは、熱定着ユニット１１５を通り、転写されたトナーの記録画像が記録媒体Ｐ上に熱定着される。熱定着ユニット１１５の通過で記録媒体Ｐにカールが発生する場合もある。そして、記録媒体Ｐは本実施の形態の記録媒体搬送装置１０によりカールを矯正して図示の矢印（Ａ）方向の搬送方向に案内して搬送して画像形成装置１００の外に送り出されて収納される。又は、図示のように記録媒体後処理装置２００に搬入されてパンチ穴の穿孔処理や製本処理等の所定の後処理と搬送が行われて送り出されて収納される。
記録媒体搬送装置１０により、画像形成装置１００から外に送り出され図示しない排紙トレイ又は記録媒体後処理装置２００の処理ユニットに記録媒体Ｐが途中の搬送ガイド等にひっかかるジャムの発生を防止する。また、ジャムにならなくても最終的に排出された時に記録媒体Ｐの耳折れ等の記録媒体Ｐがスタックされる搬送不良の発生も防止することが出来る。
感光体ドラム１１０上に残留するトナーは、クリーニングユニット１１６によって除去されて次工程に備えられる。
従って、記録媒体Ｐのカールを矯正する構成が簡単で安価で記録画像の損傷や記録媒体Ｐの搬送不良の発生を防止する記録媒体搬送装置１０を備える画像形成装置１００も提供することが出来る。
【図面の簡単な説明】
【００１７】
【図１】本発明の実施の形態にかかる記録媒体搬送装置の基本構成図である。
【図２】本発明の実施の形態にかかる記録媒体搬送装置の間隙部の基本構成の拡大図である。
【図３】本発明の実施の形態にかかる記録媒体搬送装置における案内手段のテフロン（登録商標）層の基本構成の斜視図である。
【図４】本発明の実施の形態にかかる記録媒体搬送装置におけるフィンとファンの基本構成の斜視図である。
【図５】本発明の実施の形態にかかる記録媒体搬送装置におけるデカールローラのテフロン（登録商標）層の基本構成の斜視図である。
【図６】本発明の実施の形態にかかる記録媒体搬送装置のデカール機能調整手段の基本構成の斜視図である。
【図７】本発明の実施の形態にかかる記録媒体搬送装置における摩擦部が護謨面の基本構成の斜視図である。
【図８】本発明の実施の形態にかかる記録媒体搬送装置における摩擦部が凹凸面の基本構成の斜視図である。
【図９】本発明の実施の形態にかかる記録媒体搬送装置におけるデカールローラの中空部の基本構成の斜視図である。
【図１０】本発明の実施の形態にかかる記録媒体搬送装置を備える画像形成装置の基本構成図である。
【符号の説明】
【００１８】
１  案内手段、２  デカールローラ、３  湾曲面、４  間隙部、５  回転駆動手段、６  加熱手段、７  排紙ローラ、８  デカール機能調整手段、１０  記録媒体搬送装置、１１  搬送ガイド板、１２  対向ガイド板、１３  テフロン（登録商標）層、１４  フィン、１５  ファン、２０  テフロン（登録商標）層、２１  摩擦部、２２  護謨面、２３  凹凸面、２４  中空部、５０  連動部材、６０  定着ローラ、６１  加圧ローラ、６２  加圧手段、６３  ヒータ、８０  支点、８１  回動ガイド板、８２  回動駆動手段、８３  カム部材、８４  ソレノイド、８５  制御部、１００  画像形成装置、１０１  画像形成ユニット、１０２  原稿画像読み取りユニット、１０３  記録媒体給送装置、１１０  感光体ドラム、  １１１  帯電装置、１１２  書き込みユニット、１１３  現像ユニット、１１４  転写装置、１１５  熱定着ユニット、１１６  クリーニングユニット、１２０  原稿台、１２１  光源、１２２  読み取り光学系、２００  記録媒体後処理装置
【図１】
2008222427.tif 000003
【図２】
2008222427.tif 000004
【図３】
2008222427.tif 000005
【図４】
2008222427.tif 000006
【図５】
2008222427.tif 000007
【図６】
2008222427.tif 000008
【図７】
2008222427.tif 000009
【図８】
2008222427.tif 000010
【図９】
2008222427.tif 000011
【図１０】
2008222427.tif 000012